(57)【要約】【課題】  小型電気機器を充電装置に取り付けたとき、充電装置側通電端子と電気的接続をなす通電端子を本体側面部に設けた小型電気機器と充電装置からなる電気機器において、充電装置との電気的接続を行うとき以外での本体通電端子の本体側面部への露出を防止し、通電端子の腐食防止および本体側面部の手触りの向上を課題とするものである。【解決手段】  充電装置３へ取り付けるとき以外での本体通電端子１２の露出を防止し、尚且つ充電装置３へ取り付けたときに、自動もしくは手動で開き本体通電端子１２を露出させることのできるシャッター部材２を、小型電気機器の本体側面部４に設けた。【選択図】        図１
2009268253.tif 000002
【特許請求の範囲】
【請求項１】
小型電気機器を充電装置に取り付けたとき、充電装置と電気的接続を行う通電端子を小型電気機器の本体側面部に設けた小型電気機器において、上記通電端子を電気的接続で使用するとき以外での露出を防止する開閉自在なシャッター部材を本体側面部に設けていることを特徴とする小型電気機器と充電装置からなる電気機器。
【請求項２】
小型電気機器を充電装置に取り付けたとき、シャッター部材を自動で開く手段を設けたことを特徴とする請求項１記載の電気機器。
【請求項３】
シャッター部材に錘部材を設けてあり、小型電気機器を所定の方向に傾けたとき、錘部材が動き、シャッター部材が連動して開くもしくは開くことが可能な状態に動く手段を設けたことを特徴とする請求項１又は２記載の電気機器。
【請求項４】
シャッター部材と充電装置に夫々磁性体あるいは磁石からなる部材を設けてあり、少なくとも一方は磁石であり、小型電気機器を充電装置に取り付けたとき、シャッター部材に設けた磁性体あるいは磁石からなる部材が、充電装置に設けた磁性体あるいは磁石からなる部材と磁気的作用により動き、シャッター部材が連動して開く手段を設けたことを特徴とする請求項２記載の電気機器。
【請求項５】
小型電気機器を充電装置に取り付けたときに小型電気機器を支えられる状態に動く支持部の動きにシャッター部材が連動しており、支持部を充電装置に支持可能な状態に動かすと、連動してシャッター部材が開くもしくは開くことが可能な状態に動く手段を設けたことを特徴とする請求項１乃至４記載の電気機器。
【請求項６】
シャッター部材が変形可能な形状もしくは材料で構成されていることを特徴とする請求項１乃至５のいずれか一つに記載の電気機器。
【請求項７】
小型電気機器の通電端子が可動であり、シャッター部材あるいは通電端子の動きに通電端子あるいはシャッター部材を連動させる連動手段を設けたことを特徴とする請求項１乃至６のいずれか一つに記載の電気機器。
【発明の詳細な説明】
【技術分野】
【０００１】
本発明は、電気機器に関するものである。
【背景技術】
【０００２】
従来、小型電気機器と充電装置からなる電気機器において、小型電気機器の本体の端部にコネクター型の通電端子を設けただけでなく、手で把持するグリップ部およびその周辺である側面部にも通電端子を設けた小型電気機器が多い。これは、専用の充電装置や、洗浄充電装置、乾燥充電装置などに取り付けたときに小型電気機器の本体の側面部（以下、本体側面部と記載）に専用の通電端子を設けることで、充電装置に置くだけで、本体側面部の通電端子により充電装置との電気的接続がなされ、充電動作や、洗浄処理、乾燥処理が行え、小型電気機器の端部に設けた通電端子との電気的接続による充電装置の大型化を抑制したものであった。（例えば、特許文献１参照）
しかし、一方で本体側面部に通電端子を設けたことで、グリップ部および周辺という手の接触しやすい部分であるため、金属製である通電端子に汗などの金属腐食成分が付着する可能性が高くなった。また、本体側面部に通電端子が突出することにより、本体側面部を把持したときの手触りが良好でない場合もある。
【特許文献１】特表２００６−５２２６２５号公報
【発明の開示】
【発明が解決しようとする課題】
【０００３】
本発明は上記の点に鑑みてなされたものであり、小型電気機器の本体側面部に設けられた通電端子（以下、本体通電端子と記載）の電気的接続を行うとき以外での本体側面部への露出を防止し、本体通電端子の腐食防止および本体側面部の手触りの向上を課題とするものである。
【課題を解決するための手段】
【０００４】
上記課題を解決するために、本発明の小型電気機器と充電装置からなる電気機器では、小型電気機器の本体側面部４に設けた本体通電端子１２を、充電装置３へ取り付けて充電装置３側の通電端子３１（以下、充電装置側通電端子と記載）との電気的接続に使用するとき以外での露出を防止した開閉自在のシャッター部材２を小型電気機器に設けたことを特徴とするものである。
【０００５】
このような構成をすることで、専用の充電装置や洗浄充電装置、乾燥充電装置など（以下、充電装置と総称して記載）との電気的接続に使用するとき以外での本体通電端子１２の露出が防止され、本体通電端子１２の腐食防止および手触りの向上が可能になるものである。
【０００６】
また、充電装置３に取り付けたとき、シャッター部材２が自動で開くことができれば、小型電気機器を充電装置３と電気的接続を行うときに、シャッター部材２を開く手間が省かれ、使用が簡便化され好ましい。
【０００７】
また、シャッター部材１２と錘部材２３が連動する形で設けられており、小型電気機器を所定の方向に向けることで、錘部材２３が動き、その錘部材２３の動きに連動してシャッター部材２が開くもしくは開くことが可能な状態に動くものであってもよい。
【０００８】
また、シャッター部材２に磁性体あるいは磁石からなる部材が設けてあり、充電装置３にも磁石あるいは磁性体からなる部材を設けてあり、尚且つ一方もしくは両方に磁石からなる部材で設けてあり、小型電気機器を充電装置３に取り付けたとき、小型電気機器のシャッター部材２に設けられた磁性体あるいは磁石からなる部材が、充電装置３の磁石あるいは磁性体からなる部材と磁気的作用によって動き、シャッター部材２が連動して開くものであってもよい。
【０００９】
また、小型電気機器を充電装置３に取り付けたときに充電装置３に対する小型電気機器を支持する支持部２２であり、支持可能な状態へ動く支持部２２の動きに、シャッター部材２が連動しており、支持部２２を支持可能な状態へ動かすと、シャッター部材２が連動して開くもしくは開くことが可能な状態に動くものであってもよい。
【００１０】
また、シャッター部材２が本体側面部４の曲面に合わせて変形可能な形状あるいは材料で構成されているものであってもよい。シャッター部材２が変形可能な形状あるいは材料で構成されていれば、シャッター部材２を周囲の本体側面部４の曲面に近しいものにでき、外観の違和感が解消されたものになり好ましい。
【００１１】
また更に、小型電気機器の本体通電端子１２が可動であり、シャッター部材２の動きに連動して本体通電端子１２が動く、あるいは本体通電端子１２の動きに連動してシャッター部材２が動くものであってもよい。
【発明の効果】
【００１２】
上記のように本発明の請求項１記載の発明にあっては、本体側面部に電気的接続のための本体通電端子を有する小型電気機器において、この本体通電端子を覆い隠すためのシャッター部材を設けることで、充電装置との電気的接続で本体通電端子を使用するとき以外での本体通電端子の露出を防止し、小型電気機器を体毛処理などで使用するときに、本体通電端子への汗などの腐食成分の付着を防止でき、本体通電端子を覆い隠すことにより手触りも改善されるものである。
【００１３】
また、請求項２記載の発明にあっては、上記請求項１記載の発明の効果に加えて、本体通電端子の露出を防止しているシャッター部材が、当該本体を充電装置に取り付けたときに自動でシャッター部材を開くことで、シャッター部材を開けるために開閉スイッチなどを用いて手動でシャッター部材を開く手間が省かれ、小型電気機器と充電装置との電気的接続を簡便できる。また、使用者がシャッター部材の開閉を直接行わないため、さらに本体通電端子の腐食成分の付着の防止ができるものである。
【００１４】
また、請求項３記載の発明にあっては、上記請求項１又は請求項２に記載の発明の効果に加えて、所定の方向に本体を傾けることで、シャッター部材に設けられた錘部材が動き、それによりシャッター部材が連動し、自動でシャッター部材を開くもしくは充電装置へ取り付けたときに自動もしくは手動で開くことが可能な状態に動くことができるものである。
【００１５】
また、請求項４記載の発明にあっては、上記請求項２に記載の発明の効果に加えて、シャッター部材に磁性体あるいは磁石からなる部材を設けることにより、充電装置に設けた磁石あるいは磁性体によって小型電気機器を充電装置に設置したとき、シャッター部材に設けた磁性体あるいは磁石が、充電装置に設けた磁石あるいは磁性体との磁気的作用により動き、それによりシャッター部材が連動し、自動でシャッター部材を開くものであり、本体側面部４にシャッター部材の開閉用スイッチなどの構造物が不要で、内部で構成を完結できるものである。
【００１６】
また、請求項５記載の発明にあっては、上記請求項１又は請求項４に記載の発明の効果に加えて、当該小型電気機器を充電装置に取り付けたときに小型電気機器本体を支える支持部が支持可能な状態に支持部が動くものであり、支持部の動きとシャッター部材は連動しており、充電装置に支持可能な状態に支持部が動くと、シャッター部材が連動しシャッター部材が開くもしくは充電装置へ取り付けたときに自動もしくは手動で開くことが可能な状態にできるものである。
【００１７】
また、請求項６記載の発明にあっては、上記請求項１乃至請求項５のいずれかに記載の発明の効果に加えて、シャッター部材が本体側面部の曲面に合わせて変形可能な形状もしくは材料で構成されており、本体側面部の曲面にシャッター部材の曲面を近づけることができ、違和感のより解消されたスムースな外観を表現できるものである。
【００１８】
また、請求項７記載の発明にあっては、上記請求項１乃至請求項６のいずれかに記載の発明の効果に加えて、本体通電端子が本体側面部に入出自在であり、シャッター部材の開閉に連動して、本体通電端子が入出するもの、もしくは本体通電端子の入出に連動して、シャッター部材が開閉するものであり、充電装置との電気的接続を行わないときの本体通電端子の本体側面部への突出を抑えられるため、シャッター部材を、周囲の本体側面部の形状により近づけることができ、更に本体通電端子の突出により、従来の充電装置の多くに設けられている突出の小さい充電装置側通電端子に対しても、安定した電気的接続ができるものである。
【発明を実施するための最良の形態】
【００１９】
以下、本発明を添付図面に示す実施形態に基づいて説明する。
【００２０】
図１に示す実施例において、小型電気機器は、体毛処理装置である電気かみそり１であり、体毛処理を行うときに把持する本体側面部４を有する電気かみそり本体１１と、その一端に体毛処理を行う刃ヘッド部１３を設けたものである。
【００２１】
上記電気かみそり本体１１の本体側面部４には、開口した開口部４２を設けた凹部４１を有し、凹部４１の底部には本体通電端子１２が、電気かみそり本体１１の内部から凹部４１内に開口部４２に向かって突き出ている。
【００２２】
また、凹部４１の開口部４２は、本体側面部４の溝４３に沿ってスライド自在に設けられたシャッター部材２によって塞がれており、本体通電端子１２の露出を防止している。
【００２３】
シャッター部材２は、電気かみそり本体１１の内部と弾性体２１を介して繋がっており、弾性部材２１に押されることで開口部４２を塞いだ状態で保持され、本体通電端子１２の電気的接続を行うとき以外での露出を防止している。
【００２４】
また、シャッター部材２の一端は、開口部４２を塞いでいるが、もう一端には、外観面に対して突き出た突起が設けてあり、この突起は、充電装置３に取り付けたときに電気かみそり１を充電装置３に支持する支持部２２である。
【００２５】
更に、支持部２２が充電装置３に支持可能な位置へ溝４３に沿ってスライドすることで、シャッター部材２もスライドし、開口部４２を開放するものであり、支持部２２の動きに伴ってシャッター部材２が開くものである。
【００２６】
また、前記充電装置３とは、電気かみそり１の刃ヘッド部１３の洗浄および電気かみそり１の充電を行う洗浄充電装置である。
【００２７】
充電装置３には、刃ヘッド部１３の洗浄を行うために洗浄用の液体を張ることができる洗浄部３３が底部に設けられており、洗浄部３３の壁面の一部を上方に延長した面には、刃ヘッド部１３の洗浄のために電気かみそり１を上下逆に取り付けるときに電気かみそり１の支持部２２と噛み合う突出した被支持部３２が設けられており、被支持部３２と洗浄部３３の間には、電気かみそり１を取り付けたときに電気かみそり本体１と電気的接続を行う突出した充電装置側通電端子３１が設けられている。
【００２８】
電気かみそり１を充電装置３に取り付けると、シャッター部材２に設けられた支持部２２と充電装置３の被支持部３２が噛み合い、シャッター部材２は本体側面部４の溝４３に沿ってスライドすることで開き、本体通電端子１２を露出させる。
【００２９】
支持部２２が安定して支持可能となる位置につくと、シャッター部材２のスライドは止まり、露出した本体通電端子１２と充電装置側通電端子３１との電気的接続が行われる。
【００３０】
また、図２の他例は、電気かみそり本体１１内部に支点１５で回転自在に取り付けられたアーム部２４が設けてあり、アーム部２４の一端にはシャッター部材２が取り付けられており、他端は錘部材２３に取り付けられているものである。
【００３１】
電気かみそり本体１１を充電装置３に取り付けとき、刃ヘッド部１３の洗浄のため電気かみそり１を上下逆に向けると、錘部材２３が刃ヘッド部１３側に降下し、それに伴いシャッター部材２が連動して本体側面部４の内側に設けられたシャッター収納部４４に収納されることでシャッター部材２が開き、本体通電端子１２が露出し、充電装置３に取り付けることで本体通電端子１２と充電装置側通電端子３１との電気的接続が行われる。
【００３２】
本体通電端子１２が支持部２２としての機能も有しており、シャッター部材２に支持部２２を設ける必要が無くなり、本体通電端子１２を露出したときにシャッター部材２が本体側面部４に出ている必要が無いため、シャッター収納部４４をシャッター部材２が開いたときに収納する内部収納スペースとして設けて、本体側面部４に設けられていた溝４３を無くすことができ、シャッター部材２の開閉による外観のデザインへの影響を少なくしたものである。
【００３３】
また、電気かみそり１を所定の方向に傾けることで錘部材２３が動き、錘部材２３の動きに伴ってシャッター部材２が開くことを防止していたロック機構が解除され、手動でシャッター部材２を開けるもしくは、充電装置３に取り付けたときに自動でシャッター部材２が開き、本体通電端子１２が露出し充電装置側通電端子３１との電気的接続が行われるものであってもよい。
【００３４】
また、図３の他例は、シャッター部材２に磁性体２５からなる部材を設け、充電装置３側に磁石３５を設けることで、電気かみそり本体１１を充電装置３に取り付けたとき、磁性体２５が磁石３５に引き寄せられ、シャッター部材２が伴って動くシャッター収納部４４に収納されることで、開口部４２が開放され、本体通電端子１２が露出し充電装置側通電端子３１との電気的接続が行われるものである。
【００３５】
シャッター部材２と充電装置３に設ける磁性体もしくは磁石からなる部材は、磁気的作用によりシャッター部材２が自動で開くには、一方もしくは両方に磁石からなる部材が設けられていなければならない。
【００３６】
前述の磁性体２５をシャッター部材２に設け、磁石３５を充電装置３に設けた組み合わせでは、引き寄せあうことでシャッター部材２を開くだけだが、両方を磁石からなる部材で設けたものであれば、引き寄せあうことでシャッター部材２を開くのではなく、斥けあうことでシャッター部材２を開くものにもできる。
【００３７】
また、支持部２２の動きに伴ってシャッター部材２が開くのではないため、シャッター部材２には支持部２２が設けられておらず、本体通電端子１２も支持部２２としての機能を有しておらず、支持部２２は本体通電端子１２およびシャッター部材２から離れた刃ヘッド部１３の近くの本体側面部４の突出部に設けられており、それを受ける充電装置３側の被支持部３２は洗浄部３３内に設けられている。
【００３８】
また、図４の他例は、シャッター部材２を本体側面部４の曲面に合わせて変形可能な材料で形成したものであり、尚且つシャッター部材２の凹部４１側の面に複数の切り欠き２ａを設けることで、変形可能な形状とした。
【００３９】
更に、凹部４１が本体側面部４の曲面部分に設けられていても、その曲面形状に合わせて変形可能なシャッター部材２となり、シャッター部材２と本体側面部４との視覚的もしくは触覚的な違和感の解消がなされる。
【００４０】
また、シャッター部材２が開いたとき、シャッター部材２を収納するシャッター収納部４４の設けられる本体側面部４の形状が、凹部４１の開口部４２と異なる曲面からなるものであっても、その本体側面部４の曲面に合わせた形状にもシャッター部材２が変形可能であれば、その開口部４２と異なる曲面に沿ったシャッター収納部４４を設けることもでき、シャッター収納部４４のスペースの肥大を防止できる。
【００４１】
更に、本体側面部４の溝４３に沿ってシャッター部材２がスライドすることで本体通電端子１２を露出させるものであっても、本体側面部４の形状に沿って自在に溝４３を設けられるため、本体通電端子１２の設けられた凹部４１およびシャッター部材２を設ける場所が限定されずにすみ、外観の視覚的もしくは触覚的な違和感が軽減される。
【００４２】
また、図５の他例は、シャッター部材２の他例として、本体側面部４には、開口部４２のみ設けられており、シャッター部材２に凹部４１をケース状のシャッターケース２６として設けたものである。
【００４３】
また、シャッター部材２にシャッターケース２６をシャッター部材２のスライド方向に対してずらして設けることで、本体通電端子１２の露出できるシャッターケース開口部２６１が設けられており、シャッター部材２が閉じた状態では、本体側面部４からシャッターケース開口部２６１側に伸びた側面突出部４５により上記シャッターケース開口部２６１が塞がれ、本体通電端子１２の露出を防止している。
【００４４】
更に、シャッターケース２６のシャッター部材２が開閉するスライド方向の側面にシャッターケース開口部２６１に向かって斜めに設けられたスライド穴２６２を設け、スライド穴２６２に本体通電端子１２の側面から通電端子突起部１２１をスライド穴２６２に突出させ、本体通電端子１２をスライド穴２６２に沿ってスライド自在に設けられている。
【００４５】
充電装置３に電気かみそり１が取り付けられると、シャッター部材２に設けられた支持部２２が被支持部３２に噛み合うことでシャッター部材２が本体側面部４の溝４３に沿ってスライドし、シャッターケース開口部２６１は開放される。
【００４６】
また、シャッター部材２のスライドに伴って、本体通電端子１２がスライド穴２６２に沿ってシャッターケース開口部２６１に向かってスライドし、本体通電端子１２がシャッターケース開口部２６１より本体側面部４に突出し露出するものである。
【００４７】
これにより、充電装置側通電端子３１の突出していない種類の充電装置３に対しても電気的接続が可能となるものである。
【００４８】
また、図６の他例は、シャッター部材２と本体通電端子１２が連動して動き、尚且つ本体通電端子１２が本体側面部４に突出するものであり、本体通電端子１２にシャッター部材２を回転自在に取り付けたものである。
【００４９】
本体通電端子１２と接したシャッター部材２の部位に、本体通電端子１２の突出方向と垂直に伸びた棒状部材２７を設け、棒状部材２７と接して電気かみそり本体１１の内部にシャッター開閉用の本体突起部１４を棒状部材２７より本体側面部４側に設け、本体通電端子１２の本体側面部４への突出に伴い、棒状部材２７が本体突起部１４に接触することで本体通電端子１２の突出する方向と逆方向に回動し、上記棒状部材２７の回動にシャッター部材２も伴って回動することで、シャッター部材２が開き本体通電端子１２を露出するものである。
【００５０】
また、図７の他例は、本体通電端子１２の突出により、本体通電端子１２に押されることで二つのシャッター部材２が回動して開くものである。
【００５１】
また更に、複数のシャッター部材２を組み合わせることで、開口部４２を塞ぎ、本体通電端子１２の露出を防止するものであってもよく、その開口部４２を開放する手段は、図１〜７の実施例の手段のうちの、一つあるいはいくつかを組み合わせたものであってもよい。
【００５２】
また、図８の他例は、本体通電端子１２を対向して設けてあり、夫々の本体通電端子１２にスライド自在のシャッター部材２を設けてあるものである。
【００５３】
対向して設けられた本体通電端子１２と電気的接続を行うため、充電装置３には対向した壁面部３６が設けてあり、夫々に充電装置側通電端子３１が設けてある。
【００５４】
更に、電気かみそり１を充電装置３に取り付けることで、夫々のシャッター部材２に設けた突起であるシャッター部材突起部２８が、壁面部３６にあたることで、シャッター部材２が本体側面部４からスライドし、対向する夫々の本体通電端子１２を露出し、夫々の充電装置側通電端子３１と電気的接続を行うものである。
【００５５】
また更に、対向した本体通電端子１２のシャッター部材２を開く手段として、他の実施例の手段のうちの一つあるいはいくつかを組み合わせたものでシャッター部材２を開くものであってもよい。
【００５６】
また、図９の他例は、突出している本体通電端子１２において、本体通電端子１２に回転自在に取り付けられたシャッター部材２で覆い隠したものである。
【００５７】
また、電気かみそり１を充電装置３に取り付けたとき、シャッター部材２に設けられた支持部２２が充電装置３の被支持部３２と噛み合うことでシャッター部材２が開かれるものであり、充電装置３へ取り付けたとき以外での、本体通電端子１２の露出を防止するものである。
【００５８】
また、支持部２２が電気かみそり１を支持する必要の無い体毛処理をなすときなどでは収納されており、電気かみそり１を充電装置３へ支持部２２で支持する必要があるとき、支持部２２が支持可能な状態に動ける電気かみそり１において、シャッター部材２と支持部２２は連動手段により繋がっており、支持部２２を充電装置３に設置可能な状態に動かしたとき、連動手段によりシャッター部材２が開き本体通電端子１２を露出させるもの、もしくはシャッター部材２が開くことを防止していたロック機構が解除されるものであってもよい。
【図面の簡単な説明】
【００５９】
【図１】本発明の実施例の支持部の動きに連動してシャッター部材を開くものの全体断面図（ａ）と、拡大部分断面図（ｂ）である。
【図２】同上の他例の錘部材の動きに連動してシャッター部材を開くものの全体断面図である。
【図３】同上の他例の磁性体の動きに連動してシャッター部材を開くものの全体断面図である。
【図４】同上の他例の変形可能な形状および材料からなるシャッター部材を設けたものの全体断面図（ａ）と、シャッター部材の要所拡大図（ｂ）である。
【図５】同上のシャッター部材が開くことにより本体通電端子が突出する他例の本体通電端子を収納したときの部分断面図（ａ）と、露出したときの部分断面図（ｂ）である。
【図６】同上の他例の本体通電端子が突出することによりシャッター部材が開くものの本体通電端子を収納したときの部分断面図（ａ）と、露出したときの部分断面図（ｂ）である。
【図７】同上の他例の本体通電端子が突出することにより複数のシャッター部材が開くものの本体通電端子を収納したときの部分断面図（ａ）と、露出したときの部分断面図（ｂ）である。
【図８】同上の他例の本体通電端子が対向して設けられたものの平面断面図である。
【図９】同上の他例の突出した本体通電端子にシャッター部材が設けられたものの全体断面図（ａ）と、拡大部分断面図（ｂ）である。
【符号の説明】
【００６０】
１    電気かみそり
１１  電気かみそり本体
１２  本体通電端子
１２１  突起部
１３  刃ヘッド部
１４  本体突起部
１５  支点
２    シャッター部材
２ａ  切り欠き
２１  弾性体
２２  支持部
２３  錘部材
２４  アーム部
２５  磁性体
２６  シャッターケース
２６１  シャッターケース開口部
２６２  スライド穴
２７  棒状部材
２８  シャッター部材突起部
３    充電装置
３１  充電装置側通電端子
３２  被支持部
３３  洗浄部
３５  磁石
３６  壁面部
４    本体側面部
４１  凹部
４２  開口部
４３  溝
４４  シャッター収納部
４５  側面突出部
【図１】
2009268253.tif 000003
【図２】
2009268253.tif 000004
【図３】
2009268253.tif 000005
【図４】
2009268253.tif 000006
【図５】
2009268253.tif 000007
【図６】
2009268253.tif 000008
【図７】
2009268253.tif 000009
【図８】
2009268253.tif 000010
【図９】
2009268253.tif 000011